(57)【要約】【課題】  電動機制御装置のステーション番号の設定を制御基板交換時に自動的に行う手段を備えた電動機制御システムを提供する。【解決手段】  複数台の電動機制御装置１と、この複数台の電動機制御装置夫々に運転制御指令を与える主幹制御装置３と、前記電動機制御装置１の制御基板６内の演算装置と前記主幹制御装置３間のデータのやりとりを行うための伝送装置４とで構成し、前記伝送装置４は、前記電動機制御装置を特定するためのステーション番号と当該ステーション番号に対応したデータから成る伝送データ４１を、コモンメモリのサイクリックスキャン方式によって伝送する機能を有し、前記電動機制御装置１の制御基板６の少なくとも１個を交換したとき、当該電動機制御装置１のステーション番号が自動認識機能により自動的に認識されるようにする。【選択図】  図１
2005245063.tif 000002
【特許請求の範囲】
【請求項１】
電動機を可変速駆動する複数台の電動機制御装置と、
この複数台の電動機制御装置夫々に運転制御指令を与える主幹制御装置と、
前記電動機制御装置の制御基板内の演算装置と前記主幹制御装置間のデータのやりとりを行うための伝送装置と
から構成され、
前記伝送装置は、前記電動機制御装置を特定するためのステーション番号と当該ステーション番号に対応したデータから成る伝送データを、コモンメモリのサイクリックスキャン方式によって伝送する機能を有し、
前記電動機制御装置の制御基板の少なくとも１個を交換したとき、
当該電動機制御装置のステーション番号が自動認識機能により自動的に認識されるようにしたことを特徴とする電動機制御システム。
【請求項２】
前記自動認識機能は、
前記主幹制御装置が前記電動機制御装置に次々とデータ伝送を行い、
所定時間内にアンサーバックのデータが来ない電動機制御装置を
交換された制御基板を有する電動機制御装置と認識することを特徴とする請求項１に記載の電動機制御システム。
【請求項３】
前記電動機制御装置内の設定値データが何らかの原因で失われたとき、
前記主幹制御装置または前記伝送装置に保存してある設定値データを使用することにより、自動的に設定値データを復元できるようにしたことを特徴とする請求項１に記載の電動機制御システム。
【発明の詳細な説明】
【技術分野】
【０００１】
本発明は、電動機制御装置と主幹制御装置とが伝送装置を介して接続された電動機制御システムに係り、特に電動機制御装置の制御基板の交換を合理的に行うことが可能な電動機制御システムに関する。
【背景技術】
【０００２】
一般に、複数台の電動機制御装置を使用して電動機制御システムを構成する場合、主幹制御装置と呼ばれる装置が、複数台の電動機制御装置に対し目標となる電動機速度や起動指令を与え、電動機制御装置はこの指令により速度制御や起動停止制御を行う。また、主幹制御装置は、電動機制御装置の状態を監視し、異常があった場合、電動機制御装置に停止指令を出したり、関連する他の電動機制御装置に停止指令を与えたりする。即ち、電動機制御装置と主幹制御装置は協同して動作している。尚、現在のディジタル化された電動機制御システムにおいては、電動機制御装置と主幹制御装置は、ディジタル伝送装置を介して通信を行っている。
【０００３】
このように複数台の電動機制御装置と主幹制御装置が伝送装置を介して互いに通信を行う電動機制御システムにおいて、稼動中に個々の電動機制御装置の制御用のデータを簡単に書き変えることができるように改良する工夫も為されてきている（例えば特許文献１参照。）。
【特許文献１】特開２００３−５２１８９号公報（第４−９頁、図２）
【発明の開示】
【発明が解決しようとする課題】
【０００４】
上述の電動機制御システムにおいて、電動機制御装置と主幹制御装置が、伝送装置を介して互いにデータのやりとりを行うためには、各々の装置を特定するために装置固有のステーション番号を正確に設定する必要がある。通常、このステーション番号は、ドキュメントに記載されており、このドキュメントを見ながらオペレータが、電動機制御装置の制御基板に設けられたスイッチ等により手動で設定すること多かった。このため、設定を正しく行うためには、ドキュメントの管理、保管、及びドキュメントのチェック等を正しく行うことが必要となるが、誤設定の恐れが常にあるという問題があった。また、システム稼動の初期状態では制御基板にＰＣ等を接続して直接ステーション番号等のデータ書き込んで設定を行うが、何らかの原因により制御基板を交換することが必要となったとき、ＰＣ等を改めて接続するのは操作が煩雑となってしまうという問題があった。
【０００５】
本発明は、上記問題に鑑みて為されたもので、その目的は、電動機制御装置のステーション番号の設定を制御基板交換時に自動的に行う手段を備えた電動機制御システムを提供することにある。
【課題を解決するための手段】
【０００６】
上記目的を達成するため、本発明の電動機制御システムは、電動機を可変速駆動する複数台の電動機制御装置と、この複数台の電動機制御装置夫々に運転制御指令を与える主幹制御装置と、前記電動機制御装置の制御基板内の演算装置と前記主幹制御装置間のデータのやりとりを行うための伝送装置とから構成され、前記伝送装置は、前記電動機制御装置を特定するためのステーション番号と当該ステーション番号に対応したデータから成る伝送データを、コモンメモリのサイクリックスキャン方式によって伝送する機能を有し、前記電動機制御装置の制御基板の少なくとも１個を交換したとき、当該電動機制御装置のス
テーション番号が自動認識機能により自動的に認識されるようにしたことを特徴としている。
【発明の効果】
【０００７】
本発明によれば、電動機制御装置のステーション番号の設定を制御基板交換時に自動的に行うことが可能となるため、設定器が不要で、且つ短時間で基板交換が可能となる信頼性の高い電動機制御システムを提供することができる。
【発明を実施するための最良の形態】
【０００８】
以下、本発明の実施例を図面を参照して説明する。
【実施例１】
【０００９】
本発明の実施例１を図１を参照して説明する。図１（ａ）は本発明に係る電動機制御システムのブロック構成図である。
【００１０】
電動機制御装置１Ａ、１Ｂ及び１Ｃは夫々電動機２Ａ、２Ｂ及び２Ｃを可変速駆動するための装置であり、電動機２Ａ、２Ｂ及び２Ｃが交流電動機の場合は、可変電圧／可変周波数の電力を電動機２Ａ、２Ｂ及び２Ｃに与える。また電動機制御装置１Ａ、１Ｂ及び１Ｃの入力は商用電源から得るのが普通であるが、図１（ａ）では図示を省略している。尚、図１（ａ）においては、電動機制御装置を３台から成る構成としているが、更に多数の電動機制御装置がある構成としても良い。
【００１１】
主幹制御装置３は複数台の電動機制御装置１Ａ、１Ｂ及び１Ｃの制御あるいは監視を行うための装置であり、電動機制御装置１Ａ、１Ｂ及び１Ｃへの制御指令データの送信、また電動機制御装置１Ａ、１Ｂ及び１Ｃからの監視用データの受信を伝送装置４を介して行う。
【００１２】
伝送装置４は、主幹制御装置３内に収納された親局４０、電動機制御装置１Ａ、１Ｂ及び１Ｃ内に夫々収納された子局４０Ａ、４０Ｂ及び４０Ｃを光または電気ケーブルでループ状に接続して構成されている。親局４０は主幹制御装置３内の主幹制御基板５の演算装置と、また子局４０Ａ、４０Ｂ及び４０Ｃは夫々電動機制御装置１Ａ、１Ｂ及び１Ｃ内の制御基板６Ａ、６Ｂ及び６Ｃの演算装置と互いに上述したデータのやりとりを行っている。
【００１３】
伝送装置４によって扱われるデータは所謂コモンメモリ方式となっており、その中身は図１（ａ）の伝送データ４１に示すように、主幹装置３並びに各電動機制御装置１Ａ、１Ｂ及び１Ｃに割り当てられた夫々固有のステーション番号に付随したデータが伝送される。このステーション番号は、システム稼動の初期の段階で、例えばオフラインで動作するＰＣ等からのデータローディングを行うことにより予め制御基板６Ａ、６Ｂ及び６Ｃに与えられている。
【００１４】
そして、主幹制御装置３の主幹制御基板５並びに各電動機制御装置１Ａ、１Ｂ及び１Ｃ内の制御基板６Ａ、６Ｂ及び６Ｃの演算装置は、上記コモンメモリに送られてきた伝送データ４１から自分のステーション番号に対応するデータのみを読み込み、他のデータは無視するようになっている。
【００１５】
以上説明した伝送装置４によるデータ伝送はサイクリックに行われる。この実際の伝送のステップを以下に更に詳しく述べる。
【００１６】
親局４０は、まず、ステーション番号１の子局４０Ａに対して、データを送る。この場
合、例えば、最初にステーション番号を送り、次に１ワード目のデータ、その次に２ワード目のデータ、最後に１０ワード目のデータを送って終了するというように伝送手順が予め取り決められている。
【００１７】
尚、実際には、この一連のデータの前後に、信号の同期を取るためのデータ、送られてきたデータが正常であるか、ノイズ等により壊れていないかをチェックするためのデータ等が付加されている。
【００１８】
親局４０より送信されたデータは、全ての子局４０Ａ乃至４０Ｃが受信する。子局４０Ａがデータを受信すると、最初にノイズ等によりデータが壊れていないかをチェックし、次に、自分のステーション番号に向けて送信されたデータか否かをチェックする。
【００１９】
自分のステーション番号向けでない場合には、データはそのまま捨てられる。伝送データ４１が自分のステーション番号向けの場合には、送られてきた制御指令のデータを保存し、電動機制御装置１Ａにこれを伝え、次に、親局４０へ電動機制御装置１Ａの監視用のデータを送信する。この場合も親局４０と同様、最初に親局４０のステーション番号を送り、次に１ワード目のデータ、その次に２ワード目のデータ、最後に１０ワード目のデータを送って完了するというように伝送手順が予め取り決められている。尚、上記データは親局４０の他に全ての子局４０Ｂ及び４０Ｃも受信するが、自分のステーション番号でない場合、上述したようにデータは捨てられる。
【００２０】
親局４０は、ステーション番号１の子局４０Ａから、データが送られてくると、ノイズ等によりデータが壊れていないかを、チェックし、次に、自分のステーション番号に向けて送信されたデータか否かを、チェックする。
【００２１】
この伝送データ４１が自分のステーション番号向けの場合には、送られてきたデータを保存し、主幹制御装置３へ伝える。このようにして、次にはステーション番号２の子局４０Ｂへ、制御指令のデータを送り、以下同様のことをサイクリックに繰り返す。
【００２２】
以上の動作、即ちコモンメモリのサイクリックスキャン伝送方式により、親局４０即ち主幹制御装置３と、子局４０Ａ乃至４０Ｃ即ち電動機制御装置１Ａ乃至１Ｃとは常時データのやりとりを行う。
【００２３】
次に、制御基板６Ａ乃至６Ｃのうちの１個が何らかの原因で故障し、これを予備の制御基板に交換した場合の動作を考える。
【００２４】
図１（ｂ）は、本発明の実施例１の動作を示すフローチャートである。
【００２５】
主幹制御装置３は、予め電動機制御装置１Ａ乃至１Ｃ内に設置された子局４０Ａ乃至４０Ｃのステーション番号のリストを記憶している。
【００２６】
電動機制御装置１Ａ乃至１Ｃのうちの何れか１個の制御基板を交換した場合、この交換した制御基板のステーション番号は仮設定されているものとする。例えば伝送装置４の親局４０に接続できる電動機制御装置１の子局が最大２５４台とすると、運用上は２５３台を最大とし、予備の基板には２５４のステーション番号を仮設定しておく。
【００２７】
この状態では、伝送装置４が扱うステーション番号としては、基板交換した電動機制御装置１の子局のステーション番号が欠番となり、代わりにステーション番号２５４が存在していることになる。
【００２８】
先ず主幹制御装置３は、予め持っているステーション番号リストの先頭のステーション番号を選択する（ＳＴ１）。次にこのステーション番号に相当する子局４０ｎが正常か否かをチェックする（ＳＴ２）。ここで正常かどうかのチェックは、例えば子局４０ｎが親局４０から送付された制御指令のデータを認識し、所定時間以内に親局４０に向けてアンサーバックとしての監視用のデータが送信されてきたかどうかで判断すれば良い。
【００２９】
子局４０ｎが正常であれば、全てのステーションが終了したかどうかのチェックを行う（ＳＴ３）。全てのステーションが終了していなければ、親局４０は次のステーション番号を選択する（ＳＴ４）。以下同様にステップＳＴ２、ステップＳＴ３及びステップＳＴ４を繰り返す。
【００３０】
そして、ステップＳＴ２で正常でない子局４０ｋを見つけた時点で、このステーション番号ｋが基板交換されたステーションであると自動認識する（ＳＴ５）。また同時に、ステーション番号２５４の子局４０ｋに対して、ステーション番号を２５４からｋに変更するよう命令を出す。
【００３１】
以上の動作により、電動機制御装置１の制御基板を入れ替えても、正常なステーション番号に自動的に設定することが可能となる。
【００３２】
この方式を使用することにより、電動機制御装置１としては、制御基板交換時に、実際のステーション番号の設定を設定器等によって行う必要はなくなる。
【００３３】
以上説明したように、実施例１の電動機制御システムによれば、電動機制御装置のステーション番号の設定を制御基板交換時に自動的に行うことが可能となるため、設定器が不要で、且つ短時間で基板交換が可能となる信頼性の高い電動機制御システムを提供することができる。
【実施例２】
【００３４】
図２は、本発明の実施例２に係る電動機制御システムの動作を示すフローチャートである。この第２の実施例の動作を示すフローチャートの各ステップについて、図１（ｂ）の実施例１の動作を示すフローチャートの各ステップと同一ステップは同一符号で示し、その説明を省略する。
【００３５】
この実施例２の動作を示すフローチャートが図１（ｂ）の実施例１の動作を示すフローチャートと異なる点は、電動機制御装置のステーション番号を確定するステップＳＴ５の後に電動機制御装置の設定値データをダウンロードするステップＳＴ６を追加した点である。ここで設定値データとは、各電動機制御装置固有の制御パラメータ等を意味している。
【００３６】
実施例１と同様、主幹制御装置３には、あらかじめ電動機制御装置１のステーション番号のリストが記憶されている。
【００３７】
従って、実施例１と同様の手順により、主幹制御装置３は、制御基板６ｋを交換した電動機制御装置１ｋを特定し、ステーション番号を入れ替えることができ、更に、電動機制御装置１ｋの設定値データ全てを、主幹制御装置３に予め記憶させておけば、特定された電動機制御装置１ｋに、この主幹制御装置３が持っている設定値データを書き込むことができる。
【００３８】
尚、上記の設定値データの書き込みは、必ずしも制御基板交換時だけに行う必要はなく、設定値データが何らかの原因によって失われたとき、自動的に書き込まれるようにして
も良い。
【００３９】
以上述べたように、本発明の実施例２によれば、電動機制御装置のステーション番号の自動変更は勿論、電動機制御装置の設定値データも、制御基板交換時に、自動設定することができるので、短時間で基板交換が可能となる信頼性の高い電動機制御システムを提供することができる。
【図面の簡単な説明】
【００４０】
【図１】本発明の実施例１に係る電動機制御システムのブロック構成図及び動作フローチャート。
【図２】本発明の実施例２に係る電動機制御システムの動作フローチャート。
【符号の説明】
【００４１】
１、１Ａ、１Ｂ、１Ｃ  電動機制御装置
２Ａ、２Ｂ、２Ｃ  電動機
３  主幹制御装置
４  伝送装置
４０  親局
４０Ａ、４０Ｂ、４０Ｃ  子局
４１  伝送データ
５  主幹制御基板
６、６Ａ、６Ｂ、６Ｃ  制御基板
【図１】
2005245063.tif 000003
【図２】
2005245063.tif 000004